(57)【特許請求の範囲】
【請求項１】
所定の地点に関する所定地点情報を取得する情報取得手段と、
前記所定地点情報が示す地点を含む所定範囲の領域において現在以降に実施されるイベントの実施状況を認識する実施状況認識手段と、
前記所定範囲の領域において、前記実施状況認識手段で認識した前記実施状況に対応する実施状況で過去に実施されたイベントの有無を判断する過去実施判断手段と、
この過去実施判断手段で過去に実施されたイベントが有ると判断された場合、当該イベントが過去に実施された際の交通情報を取得する過去交通情報取得手段と、
前記実施状況認識手段が認識した前記実施状況と、前記過去実施判断手段が認識した前記イベントの実施状況との対応度合いに基づいて、前記過去交通情報取得手段が取得する交通情報の優先度を設定する優先度設定手段と、を具備し、
前記過去交通情報取得手段は、前記優先度設定手段で設定された前記優先度に基づいて前記交通情報を取得する
ことを特徴とする情報処理装置。
【請求項２】
請求項１に記載の情報処理装置であって、
前記実施状況は、前記イベントが実施される時刻、日付、曜日、季節のうち少なくともいずれか１つである
ことを特徴とする情報処理装置。
【請求項３】
請求項１または請求項２に記載の情報処理装置であって、
前記実施状況は、前記イベントの実施時における天気である
ことを特徴とする情報処理装置。
【請求項４】
請求項１ないし請求項３のいずれかに記載の情報処理装置であって、
前記優先度設定手段は、前記交通情報に事故により交通状況が変化した旨が記録されていることを認識すると、前記変化した旨が記載されていない場合と比べて前記優先度を低く設定する
ことを特徴とする情報処理装置。
【請求項５】
請求項１ないし請求項４のいずれかに記載の情報処理装置であって、
前記優先度設定手段は、前記実施状況認識手段で実施状況が認識された前記イベントの実施日から、前記過去実施判断手段が認識した前記イベントの実施日までの間隔が所定間隔よりも短いことを認識すると、前記所定間隔よりも長い場合と比べて前記優先度を高く設定する
ことを特徴とする情報処理装置。
【請求項６】
請求項１ないし請求項５のいずれかに記載の情報処理装置であって、
前記過去交通情報取得手段は、複数の前記交通情報を取得する
ことを特徴とする情報処理装置。
【請求項７】
請求項１ないし請求項６のいずれかに記載の情報処理装置であって、
前記情報取得手段は、現在以降に実施される所定のイベントを特定するためのイベント特定情報をさらに取得し、
前記実施状況認識手段は、前記所定範囲の領域において前記イベント特定情報で特定される前記イベントが現在以降に実施されることを認識すると、前記イベントの実施状況を認識する
ことを特徴とする情報処理装置。
【請求項８】
請求項７に記載の情報処理装置であって、
前記イベント特定情報は、前記現在以降の所定の日時に関する所定日時情報であり、
前記実施状況認識手段は、前記所定範囲の領域において前記所定日時情報の日時に前記イベントが実施されることを認識すると、前記イベントの実施状況を認識する
ことを特徴とする情報処理装置。
【請求項９】
請求項７または請求項８に記載の情報処理装置であって、
前記イベント特定情報は、前記現在以降に実施される所定のイベントの名称に関するイベント名称情報であり、
前記実施状況認識手段は、前記所定範囲の領域において前記イベント名称情報の名称の前記イベントが現在以降に実施されることを認識すると、前記イベントの実施状況を認識する
ことを特徴とする情報処理装置。
【請求項１０】
請求項１ないし請求項６のいずれかに記載の情報処理装置と、
この情報処理装置にネットワークを介して各種情報が送受信可能に接続され、前記所定地点情報を生成して前記ネットワークを介して前記情報処理装置へ送信する送信用情報生成手段、および、前記情報処理装置から前記ネットワークを介して送信される前記交通情報を受信して取得する端末情報取得手段を備えた端末装置と、
を具備し、
前記情報取得手段は、前記端末装置から前記ネットワークを介して送信される前記所定地点情報を取得し、
前記過去交通情報取得手段は、前記取得した前記交通情報を前記ネットワークを介して前記端末装置へ送信する
ことを特徴とする情報処理システム。
【請求項１１】
請求項７ないし請求項９のいずれかに記載の情報処理装置と、
この情報処理装置にネットワークを介して各種情報が送受信可能に接続され、前記所定地点情報および前記イベント特定情報を生成して前記ネットワークを介して前記情報処理装置へ送信する送信用情報生成手段、および、前記情報処理装置から前記ネットワークを介して送信される前記交通情報を受信して取得する端末情報取得手段を備えた端末装置と、
を具備し、
前記情報取得手段は、前記端末装置から前記ネットワークを介して送信される前記所定地点情報および前記イベント特定情報を取得し、
前記過去交通情報取得手段は、前記取得した前記交通情報を前記ネットワークを介して前記端末装置へ送信する
ことを特徴とする情報処理システム。
【請求項１２】
端末装置にネットワークを介して各種情報が送受信可能に接続されたサーバ装置にて、所定の領域における過去の交通状況に関する所定の交通情報を端末装置へ送信する情報処理システムであって、
前記端末装置は、
所定の地点に関する所定地点情報を生成して前記サーバ装置へ送信する送信用情報生成手段と、
前記サーバ装置から送信される前記交通情報を受信して取得する端末情報取得手段と、
を備え、
前記サーバ装置は、
前記端末装置から送信される前記所定地点情報を取得する情報取得手段と、
前記所定地点情報が示す地点を含む所定範囲の領域において現在以降に実施されるイベントの実施状況を認識する実施状況認識手段と、
前記所定範囲の領域において、前記実施状況認識手段で認識した前記実施状況に対応する実施状況で過去に実施されたイベントの有無を判断する過去実施判断手段と、
この過去実施判断手段で過去に実施されたイベントが有ると判断された場合、当該イベントが過去に実施された際の交通情報を取得して前記端末装置へ送信する過去交通情報取得手段と、
前記実施状況認識手段が認識した前記実施状況と、前記過去実施判断手段が認識した前記イベントの実施状況との対応度合いに基づいて、前記過去交通情報取得手段が取得する交通情報の優先度を設定する優先度設定手段と、
を備え、
前記過去交通情報取得手段は、前記優先度設定手段で設定された前記優先度に基づいて前記交通情報を取得する
ことを特徴とする情報処理システム。
【請求項１３】
請求項１０ないし請求項１２のいずれかに記載の情報処理システムであって、
前記過去交通情報取得手段は、複数の前記交通情報を取得して前記端末装置へ送信し、
前記端末装置は、
前記複数の交通情報で前記交通状況として示される渋滞の状態の平均に関する平均渋滞情報を生成する平均渋滞情報生成手段を備えた
ことを特徴とする情報処理システム。
【請求項１４】
請求項１３に記載の情報処理システムであって、
前記端末装置は、
前記平均渋滞情報を報知手段で報知させる報知制御手段を備えた
ことを特徴とする情報処理システム。
【請求項１５】
請求項１３または請求項１４に記載の情報処理システムであって、
前記端末装置は、
移動体の現在位置に関する現在位置情報を取得する現在位置情報取得手段と、
前記移動体が移動する目的地の位置に関する目的地情報を取得する目的地情報取得手段と、
地図情報を取得する地図情報取得手段と、
前記現在位置情報、前記目的地情報、前記地図情報、および、前記平均渋滞情報に基づいて、前記移動体の現在位置から前記目的地までの移動経路を設定する経路設定手段と、
を備えた
ことを特徴とする情報処理システム。
【請求項１６】
請求項１０ないし請求項１５のいずれかに記載の情報処理システムであって、
前記端末装置は、
前記交通情報を報知手段で報知させる報知制御手段を備えた
ことを特徴とする情報処理システム。
【請求項１７】
請求項１０ないし請求項１６のいずれかに記載の情報処理システムであって、
前記端末装置は、
移動体の現在位置に関する現在位置情報を取得する現在位置情報取得手段と、
前記移動体が移動する目的地の位置に関する目的地情報を取得する目的地情報取得手段と、
地図情報を取得する地図情報取得手段と、
前記現在位置情報、前記目的地情報、前記地図情報、および、前記交通情報に基づいて、前記移動体の現在位置から前記目的地までの移動経路を設定する経路設定手段と、
を備えた
ことを特徴とする情報処理システム。
【請求項１８】
演算手段により、所定の領域における過去の交通状況に関する所定の交通情報を取得する情報処理方法であって、
前記演算手段は、
所定の地点に関する所定地点情報を取得する情報取得ステップと、
前記所定地点情報が示す地点を含む所定範囲の領域において現在以降に実施されるイベントの実施状況を認識する実施状況認識ステップと、
前記所定範囲の領域において、前記実施状況認識ステップで認識した前記実施状況に対応する実施状況で過去に実施されたイベントの有無を判断する過去実施判断ステップと、
この過去実施判断ステップで過去に実施されたイベントが有ると判断された場合、当該イベントが過去に実施された際の交通情報を取得する過去交通情報取得ステップと、
前記実施状況認識ステップで認識した前記実施状況と、前記過去実施判断ステップで認識した前記イベントの実施状況との対応度合いに基づいて、前記過去交通情報取得ステップで取得する交通情報の優先度を設定する優先度設定ステップと、を実施し、
前記過去交通情報取得ステップでは、前記優先度設定ステップで設定された前記優先度に基づいて前記交通情報を取得する
ことを特徴とする情報処理方法。
【請求項１９】
端末装置、および、前記端末装置にネットワークを介して各種情報が送受信可能に接続されたサーバ装置により、所定の領域における過去の交通状況に関する所定の交通情報を前記サーバ装置から前記端末装置へ送信させる情報処理方法であって、
前記端末装置は、
所定の地点に関する所定地点情報を生成して前記サーバ装置へ送信する送信用情報生成ステップと、
前記サーバ装置から送信される前記交通情報を受信して取得する端末情報取得ステップと、を実施し、
前記サーバ装置は、
前記端末装置から送信される前記所定地点情報を取得する情報取得ステップと、
前記所定地点情報が示す地点を含む所定範囲の領域において現在以降に実施されるイベントの実施状況を認識する実施状況認識ステップと、
前記所定範囲の領域において、前記実施状況認識ステップで認識した前記実施状況に対応する実施状況で過去に実施されたイベントの有無を判断する過去実施判断ステップと、
この過去実施判断ステップで過去に実施されたイベントが有ると判断された場合、当該イベントが過去に実施された際の交通情報を取得して前記端末装置へ送信する過去交通情報取得ステップと、
前記実施状況認識ステップで認識した前記実施状況と、前記過去実施判断ステップで認識した前記イベントの実施状況との対応度合いに基づいて、前記過去交通情報取得ステップで取得する交通情報の優先度を設定する優先度設定ステップと、を実施し、
前記過去交通情報取得ステップでは、前記優先度設定ステップで設定された前記優先度に基づいて前記交通情報を取得する
ことを特徴とする情報処理方法。
【請求項２０】
演算手段を、請求項１ないし請求項９のいずれかに記載の情報処理装置として機能させる
ことを特徴とする情報処理プログラム。
【請求項２１】
請求項１８に記載の情報処理方法を演算手段に実行させる
ことを特徴とする情報処理プログラム。
【請求項２２】
請求項１９に記載の情報処理方法を端末装置、および、前記端末装置にネットワークを介して各種情報が送受信可能に接続されたサーバ装置に実行させる
ことを特徴とする情報処理プログラム。
【請求項２３】
請求項２０または請求項２１に記載の情報処理プログラムが演算手段にて読取可能に記録された
ことを特徴とする情報処理プログラムを記録した記録媒体。
【請求項２４】
請求項２２に記載の情報処理プログラムが、端末装置、および、前記端末装置にネットワークを介して各種情報が送受信可能に接続されたサーバ装置にて読取可能に記録された
ことを特徴とする情報処理プログラムを記録した記録媒体。
【発明の詳細な説明】
【技術分野】
【０００１】
本発明は、過去の交通状況に関する過去交通情報を取得する情報処理装置、そのシステム、その方法、そのプログラム、および、そのプログラムを記録した記録媒体に関する。
【背景技術】
【０００２】
従来、車載用のナビゲーション装置において、例えば日本にて開発されて利用されているＶＩＣＳ（Vehicle Information Communication System：道路交通情報通信システム（登録商標））によるサービスが提供されない領域について渋滞発生の有無を予測して、この予測を考慮に入れた移動経路を探索する構成が知られている（例えば、特許文献１参照）。
【０００３】
この特許文献１に記載ものは、ナビゲーション装置にて、設定経路付近に大型店舗などの渋滞発生要因があるか否かを検索し、この検索した渋滞発生要因に係る特定のサービス情報を情報センタから受信する。そして、この受信した特定のサービス情報に基づいて、経路付近に渋滞発生が予測されるか否かを判定し、渋滞予測区域や迂回路を適宜表示する。
【０００４】
【特許文献１】特開２００２−３６５０７４号公報（第３頁左欄−第５頁左欄）
【発明の開示】
【発明が解決しようとする課題】
【０００５】
ところで、特許文献１のような構成に利用されるＶＩＣＳからの過去の交通状況に関する情報（以下、ＶＩＣＳ過去情報と称す）を参照可能な構成が知られている。利用者は、このような構成を利用して、現在あるいは未来の渋滞予測を参考とするために過去の日時を指定して、この指定日時におけるＶＩＣＳ過去情報を参照している。しかしながら、このような指定日時におけるＶＩＣＳ過去情報を参照する構成では、現在あるいは未来の渋滞予測の参考とする指定日時を利用者が自ら設定するため、現在あるいは未来の渋滞状況により近いＶＩＣＳ過去情報の参照が困難で労力を要するおそれがあるという問題点が一例として挙げられる。
【０００６】
本発明の目的は、このような実情などに鑑みて、過去の交通状況に関する適切な過去交通情報を容易に利用可能な情報処理装置、そのシステム、その方法、そのプログラム、および、そのプログラムを記録した記録媒体を提供することである。
【課題を解決するための手段】
【０００７】
請求項１に記載の発明は、所定の地点に関する所定地点情報を取得する情報取得手段と、前記所定地点情報が示す地点を含む所定範囲の領域において現在以降に実施されるイベントの実施状況を認識する実施状況認識手段と、前記所定範囲の領域において、前記実施状況認識手段で認識した前記実施状況に対応する実施状況で過去に実施されたイベントの有無を判断する過去実施判断手段と、この過去実施判断手段で過去に実施されたイベントが有ると判断された場合、当該イベントが過去に実施された際の交通情報を取得する過去交通情報取得手段と、前記実施状況認識手段が認識した前記実施状況と、前記過去実施判断手段が認識した前記イベントの実施状況との対応度合いに基づいて、前記過去交通情報取得手段が取得する交通情報の優先度を設定する優先度設定手段と、を具備し、前記過去交通情報取得手段は、前記優先度設定手段で設定された前記優先度に基づいて前記交通情報を取得することを特徴とする情報処理装置である。
【０００８】
請求項１０に記載の発明は、請求項１ないし請求項６のいずれかに記載の情報処理装置と、この情報処理装置にネットワークを介して各種情報が送受信可能に接続され、前記所定地点情報を生成して前記ネットワークを介して前記情報処理装置へ送信する送信用情報生成手段、および、前記情報処理装置から前記ネットワークを介して送信される前記交通情報を受信して取得する端末情報取得手段を備えた端末装置と、を具備し、前記情報取得手段は、前記端末装置から前記ネットワークを介して送信される前記所定地点情報を取得し、前記過去交通情報取得手段は、前記取得した前記交通情報を前記ネットワークを介して前記端末装置へ送信することを特徴とする情報処理システムである。
請求項１１に記載の発明は、請求項７ないし請求項９のいずれかに記載の情報処理装置と、この情報処理装置にネットワークを介して各種情報が送受信可能に接続され、前記所定地点情報および前記イベント特定情報を生成して前記ネットワークを介して前記情報処理装置へ送信する送信用情報生成手段、および、前記情報処理装置から前記ネットワークを介して送信される前記交通情報を受信して取得する端末情報取得手段を備えた端末装置と、を具備し、前記情報取得手段は、前記端末装置から前記ネットワークを介して送信される前記所定地点情報および前記イベント特定情報を取得し、前記過去交通情報取得手段は、前記取得した前記交通情報を前記ネットワークを介して前記端末装置へ送信することを特徴とする情報処理システムである。
【０００９】
請求項１２に記載の発明は、端末装置にネットワークを介して各種情報が送受信可能に接続されたサーバ装置にて、所定の領域における過去の交通状況に関する所定の交通情報を端末装置へ送信する情報処理システムであって、前記端末装置は、所定の地点に関する所定地点情報を生成して前記サーバ装置へ送信する送信用情報生成手段と、前記サーバ装置から送信される前記交通情報を受信して取得する端末情報取得手段と、を備え、前記サーバ装置は、前記端末装置から送信される前記所定地点情報を取得する情報取得手段と、前記所定地点情報が示す地点を含む所定範囲の領域において現在以降に実施されるイベントの実施状況を認識する実施状況認識手段と、前記所定範囲の領域において、前記実施状況認識手段で認識した前記実施状況に対応する実施状況で過去に実施されたイベントの有無を判断する過去実施判断手段と、この過去実施判断手段で過去に実施されたイベントが有ると判断された場合、当該イベントが過去に実施された際の交通情報を取得して前記端末装置へ送信する過去交通情報取得手段と、前記実施状況認識手段が認識した前記実施状況と、前記過去実施判断手段が認識した前記イベントの実施状況との対応度合いに基づいて、前記過去交通情報取得手段が取得する交通情報の優先度を設定する優先度設定手段と、を備え、前記過去交通情報取得手段は、前記優先度設定手段で設定された前記優先度に基づいて前記交通情報を取得することを特徴とする情報処理システムである。
【００１０】
請求項１８に記載の発明は、演算手段により、所定の領域における過去の交通状況に関する所定の交通情報を取得する情報処理方法であって、前記演算手段は、所定の地点に関する所定地点情報を取得する情報取得ステップと、前記所定地点情報が示す地点を含む所定範囲の領域において現在以降に実施されるイベントの実施状況を認識する実施状況認識ステップと、前記所定範囲の領域において、前記実施状況認識ステップで認識した前記実施状況に対応する実施状況で過去に実施されたイベントの有無を判断する過去実施判断ステップと、この過去実施判断ステップで過去に実施されたイベントが有ると判断された場合、当該イベントが過去に実施された際の交通情報を取得する過去交通情報取得ステップと、前記実施状況認識ステップで認識した前記実施状況と、前記過去実施判断ステップで認識した前記イベントの実施状況との対応度合いに基づいて、前記過去交通情報取得ステップで取得する交通情報の優先度を設定する優先度設定ステップと、を実施し、前記過去交通情報取得ステップでは、前記優先度設定ステップで設定された前記優先度に基づいて前記交通情報を取得することを特徴とする情報処理方法である。
【００１１】
請求項１９に記載の発明は、端末装置、および、前記端末装置にネットワークを介して各種情報が送受信可能に接続されたサーバ装置により、所定の領域における過去の交通状況に関する所定の交通情報を前記サーバ装置から前記端末装置へ送信させる情報処理方法であって、前記端末装置は、所定の地点に関する所定地点情報を生成して前記サーバ装置へ送信する送信用情報生成ステップと、前記サーバ装置から送信される前記交通情報を受信して取得する端末情報取得ステップと、を実施し、前記サーバ装置は、前記端末装置から送信される前記所定地点情報を取得する情報取得ステップと、前記所定地点情報が示す地点を含む所定範囲の領域において現在以降に実施されるイベントの実施状況を認識する実施状況認識ステップと、前記所定範囲の領域において、前記実施状況認識ステップで認識した前記実施状況に対応する実施状況で過去に実施されたイベントの有無を判断する過去実施判断ステップと、この過去実施判断ステップで過去に実施されたイベントが有ると判断された場合、当該イベントが過去に実施された際の交通情報を取得して前記端末装置へ送信する過去交通情報取得ステップと、前記実施状況認識ステップで認識した前記実施状況と、前記過去実施判断ステップで認識した前記イベントの実施状況との対応度合いに基づいて、前記過去交通情報取得ステップで取得する交通情報の優先度を設定する優先度設定ステップと、を実施し、前記過去交通情報取得ステップでは、前記優先度設定ステップで設定された前記優先度に基づいて前記交通情報を取得することを特徴とする情報処理方法である。
【００１２】
請求項２０に記載の発明は、演算手段を、請求項１ないし請求項９のいずれかに記載の情報処理装置として機能させることを特徴とする情報処理プログラムである。
【００１４】
請求項２１に記載の発明は、請求項１８に記載の情報処理方法を演算手段に実行させることを特徴とする情報処理プログラムである。
請求項２２に記載の発明は、請求項１９に記載の情報処理方法を端末装置、および、前記端末装置にネットワークを介して各種情報が送受信可能に接続されたサーバ装置に実行させることを特徴とする情報処理プログラムである。
【００１５】
請求項２３に記載の発明は、請求項２０または請求項２１に記載の情報処理プログラムが演算手段にて読取可能に記録されたことを特徴とする情報処理プログラムを記録した記録媒体である。
請求項２４に記載の発明は、請求項２２に記載の情報処理プログラムが、端末装置、および、前記端末装置にネットワークを介して各種情報が送受信可能に接続されたサーバ装置にて読取可能に記録されたことを特徴とする情報処理プログラムを記録した記録媒体である。
【発明を実施するための最良の形態】
【００１６】
以下、本発明に係る一実施の形態を図面に基づいて説明する。本実施の形態では、本発明の情報処理システムとしてのナビゲーションシステムであって、移動体である例えば車両の移動状況としての走行を案内誘導したり、所定の領域における過去の交通状況を報知したりする構成を例示して説明する。なお、本発明の情報処理システムとしては、車両の走行案内誘導する構成に限らず、いずれの移動体の交通状況を報知する構成が対象となる。図１は、本実施の形態におけるナビゲーションシステムの概略構成を示すブロック図である。図２は、サーバ装置の概略構成を示すブロック図である。図３は、ＶＩＣＳ（Vehicle Information Communication System：道路交通情報通信システム（登録商標））過去データベースの概略構成を示す模式図である。図４は、イベントデータベースの概略構成を示す模式図である。図５は、天気データベースの概略構成を示す模式図である。図６は、サーバ装置を構成するＣＰＵの概略構成を示すブロック図である。図７は、端末装置の概略構成を示すブロック図である。図８は、地図情報を構成する表示用データのテーブル構造を模式的に示す概念図である。図９は、地図情報を構成するマッチングデータのテーブル構造を模式的に示す概念図である。図１０は、端末装置を構成する処理部の概略構成を示すブロック図である。図１１は、過去交通情報表示画面の概略構成を示す模式図である。なお、以下において、現在以降に実施されるイベントを現在以降イベントと、過去に実施されたイベントを過去イベントと、それぞれ称して説明する。さらに、現在の渋滞、交通事故、工事、交通規制などの交通情報をＶＩＣＳ情報と、過去の交通情報をＶＩＣＳ過去情報と、それぞれ称して説明する。
【００１７】
〔ナビゲーションシステムの構成〕
図１において、１００はナビゲーションシステムである。このナビゲーションシステム１００は、例えば車両や航空機、船舶などの移動体の移動の状態に対応して案内を報知したり、過去の交通状況を報知したりするシステムである。そして、ナビゲーションシステム１００は、ネットワーク２００と、情報処理装置としてのサーバ装置３００と、端末装置４００と、を備えている。
【００１８】
ネットワーク２００には、サーバ装置３００および端末装置４００が接続されている。そして、ネットワーク２００は、サーバ装置３００と端末装置４００とを情報の送受信が可能な状態に接続する。このネットワーク２００としては、例えばＴＣＰ／ＩＰなどの汎用のプロトコルに基づくインターネット、イントラネット、ＬＡＮ(Local Area Network)、無線媒体により情報が送受信可能な複数の基地局がネットワークを構成する通信回線網や放送網などのネットワーク、さらには、サーバ装置３００および端末装置４００間で情報を直接送受信するための媒体となる無線媒体自体などが例示できる。ここで、無線媒体としては、電波、光、音波、電磁波などのいずれの媒体をも適用できる。
【００１９】
サーバ装置３００は、ネットワーク２００を介して端末装置４００と情報の送受信が可能となっている。また、サーバ装置３００は、気象庁や警視庁などの各種官庁、民間団体、ＶＩＣＳ、企業などの各種機関に設置された図示しないサーバなどから、ネットワーク２００を介して各種情報を取得可能となっている。この取得する情報としては、例えば気象情報や、ＶＩＣＳ情報、ガソリンスタンドや飲食店などの各種店舗に関する店舗情報など、車両の移動に関する情報、すなわち車両の移動の際に利用される各種の移動関連情報が例示できる。そして、サーバ装置３００は、図２に示すように、インターフェース３１０と、入力部３２０と、表示部３３０と、サーバメモリ３４０と、ＶＩＣＳ過去情報データベース３５０と、イベントデータベース３６０と、天気データベース３７０と、演算手段としてのＣＰＵ（Central Processing Unit）３８０と、などを備えている。
【００２０】
インターフェース３１０は、ネットワーク２００を介して端末装置４００に接続されるとともに、ＣＰＵ３８０に接続されている。このインターフェース３１０は、ネットワーク２００を介して入力されるサーバ信号Ｓsに対してあらかじめ設定されている入力インターフェース処理を実行し、処理サーバ信号としてＣＰＵ３８０へ出力する。また、インターフェース３１０は、ＣＰＵ３８０から端末装置４００に対して送信すべき処理サーバ信号が入力されると、入力された処理サーバ信号に対してあらかじめ設定されている出力インターフェース処理を実行し、サーバ信号Ｓsとしてネットワーク２００を介して端末装置４００へ出力する。なお、サーバ信号Ｓsは、処理サーバ信号に記載された情報に基づいて、適宜所定の端末装置４００のみに出力させることも可能である。
【００２１】
入力部３２０は、例えばキーボードやマウスなどで、入力操作される図示しない各種操作ボタンや操作つまみなどを有している。これら操作ボタンや操作つまみなどの入力操作は、サーバ装置３００の動作内容の設定や、ＶＩＣＳ過去情報データベース３５０、イベントデータベース３６０、天気データベース３７０の情報の設定入力や更新、などの設定事項の設定入力である。そして、入力部３２０は、設定事項の入力操作により、設定事項に対応する信号をＣＰＵ３８０へ適宜出力して設定入力させる。なお、入力操作としては、操作ボタンや操作つまみなどの操作に限らず、例えば表示部３３０に設けられたタッチパネルによる入力操作や、音声による入力操作などにより、各種設定事項を設定入力する構成としてもできる。
【００２２】
表示部３３０は、ＣＰＵ３８０にて制御されＣＰＵ３８０からの画像データの信号を画面表示させる。この表示部３３０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。また、この表示部３３０に表示させる画像データとしては、サーバメモリ３４０からの画像データやネットワーク２００を介して外部のサーバから取得した画像データなどが例示できる。
【００２３】
サーバメモリ３４０は、端末装置４００あるいは外部のサーバなどから受信した各種情報を適宜に読み出し可能に記憶する。このサーバメモリ３４０としては、ＨＤ（Hard Disc）、ＤＶＤ（Digital Versatile Disc）、光ディスク、メモリカードなどの記録媒体に読み出し可能に記憶するドライブやドライバなどを備えた構成としてもよい。なお、格納する情報として例えば入力部３２０の入力操作により入力された情報をも記憶可能で、入力操作により格納された情報の内容が適宜更新可能となっている。また、サーバメモリ３４０には、サーバ装置３００全体およびナビゲーションシステム１００全体を動作制御するＯＳ（Operating System）上に展開される各種プログラムなどをも情報として記憶している。
【００２４】
さらに、サーバメモリ３４０には、端末装置４００を用いてナビゲーションシステム１００を利用する利用者に関する情報である個人情報が記憶されている。個人情報としては、氏名、住所、利用者毎に付与されるＩＤナンバやパスワードなどの他、ナビゲーションシステム１００を利用する端末装置４００の形態、端末装置４００と情報を送受信するためのアドレス番号、などである。その他、サーバメモリ３４０には、ナビゲーション処理の実行に利用される各種情報を、ＣＰＵ３８０にて適宜読み取り可能に記憶する。
【００２５】
ＶＩＣＳ過去情報データベース３５０は、過去の交通状況に関する情報のデータベースである。このＶＩＣＳ過去情報データベース３５０は、ＣＰＵ３８０により適宜更新される。そして、ＶＩＣＳ過去情報データベース３５０は、図３に示すように、少なくとも１つの過去交通情報としてのＶＩＣＳ過去情報３５１が１つのデータ構造として構成されている。
【００２６】
ＶＩＣＳ過去情報３５１は、所定の領域における過去の交通状況に関するデータである。そして、ＶＩＣＳ過去情報３５１は、エリアＩＤ情報３５１Ａと、リンクＩＤ情報３５１Ｂと、日時情報３５１Ｃと、渋滞状況情報３５１Ｄと、を備えている。
【００２７】
エリアＩＤ情報３５１Ａは、交通状況が表される領域を表示させるための後述する表示用メッシュ情報ＶＭxに付与された固有の番号（以下、メッシュコードと称す）を示す情報である。
【００２８】
リンクＩＤ情報３５１Ｂは、交通状況が表されるリンクＬ（図９参照）に付与された固有の番号（以下、リンクＩＤと称す）を示す情報である。
【００２９】
日時情報３５１Ｃは、交通状況が発生した日時に関する情報である。この日時情報３５１Ｃは、年を示す年情報３５１Ｃ１と、月を示す月情報３５１Ｃ２と、日を示す日情報３５１Ｃ３と、時刻を示す時刻情報３５１Ｃ４と、曜日を示す曜日情報３５１Ｃ５と、を備えている。
【００３０】
渋滞状況情報３５１Ｄは、具体的な交通状況に関する情報である。この渋滞状況情報３５１Ｄは、渋滞度情報３５１Ｄ１と、渋滞長情報３５１Ｄ２と、リンク旅行時間情報３５１Ｄ３と、事故渋滞状況情報３５１Ｄ４と、を備えている。渋滞度情報３５１Ｄ１は、渋滞の度合いを示す情報である。具体的には、渋滞していない状態である「渋滞なし」、渋滞している状態である「渋滞」、渋滞なしおよび渋滞の間の状態である「混雑」を示すフラグ情報である。渋滞長情報３５１Ｄ２は、渋滞の長さを示す情報である。リンク旅行時間情報３５１Ｄ３は、リンクＩＤ情報３５１Ｂで表されるリンクＬの通過に要する時間を示す情報である。事故渋滞状況情報３５１Ｄ４は、事故渋滞が発生していたか否かに関する情報である。具体的には、「事故渋滞あり」または「事故渋滞なし」を示すフラグ情報である。
【００３１】
イベントデータベース３６０は、現在以降イベントや過去イベントに関する情報のデータベースである。このイベントデータベース３６０は、ＣＰＵ３８０により適宜更新される。そして、イベントデータベース３６０は、図４に示すように、少なくとも１つのイベントデータ３６１が１つのデータ構造として構成されている。
【００３２】
イベントデータ３６１は、所定のイベントに関するデータである。そして、イベントデータ３６１は、エリアＩＤ情報３６１Ａと、実施イベント種別情報３６１Ｂと、実施イベント名称情報３６１Ｃと、過去未来識別情報３６１Ｄと、実施日時情報３６１Ｅと、を備えている。
【００３３】
エリアＩＤ情報３６１Ａは、イベントが実施される領域のメッシュコードを示す情報である。
【００３４】
実施イベント種別情報３６１Ｂは、イベントの種別を示す情報である。ここで、実施イベント種別情報３６１Ｂで示される種別としては、「花火大会」、「サッカー」などが例示できる。
【００３５】
実施イベント名称情報３６１Ｃは、イベントの名称を示す情報である。
【００３６】
過去未来識別情報３６１Ｄは、イベントデータ３６１で表されるイベントが現在以降イベントまたは過去イベントである旨を示す情報である。具体的には、現在以降イベントである旨の「現在」または過去イベントである旨の「過去」を示すフラグ情報である。
【００３７】
実施日時情報３６１Ｅは、イベントが実施される時間に関する情報である。この実施日時情報３６１Ｅは、曜日を示す曜日情報３６１Ｅ１と、年を示す年情報３６１Ｅ２と、月を示す月情報３６１Ｅ３と、日を示す日情報３６１Ｅ４と、開始時刻を示す開始時刻情報３６１Ｅ５と、終了時刻を示す終了時刻情報３６１Ｅ６と、を備えている。
【００３８】
天気データベース３７０は、現在や未来あるいは過去の天気に関する情報のデータベースである。この天気データベース３７０は、ＣＰＵ３８０により適宜更新される。そして、天気データベース３７０は、図５に示すように、少なくとも１つの天気データ３７１が１つのデータ構造として構成されている。
【００３９】
天気データ３７１は、所定の領域における所定の日時の天気に関するデータである。そして、天気データ３７１は、エリアＩＤ情報３７１Ａと、現在過去未来識別情報３７１Ｂと、日時情報３７１Ｃと、天気内容情報３７１Ｄと、を備えている。
【００４０】
エリアＩＤ情報３７１Ａは、天気が示される領域のメッシュコードを示す情報である。
【００４１】
現在過去未来識別情報３７１Ｂは、天気データ３７１で表される天気が現在、過去、または、未来のものである旨を示す情報である。具体的には、現在のものである「現在」、過去のものである「過去」、未来のものである「未来」を示すフラグ情報である。
【００４２】
日時情報３７１Ｃは、天気が示される日時に関する情報である。この日時情報３７１Ｃは、年を示す年情報３７１Ｃ１と、月を示す月情報３７１Ｃ２と、日を示す日情報３７１Ｃ３と、時刻を示す時刻情報３７１Ｃ４と、曜日を示す曜日情報３７１Ｃ５と、を備えている。
【００４３】
天気内容情報３７１Ｄは、天気の内容を示す情報である。具体的には、天気内容情報は、例えば、「晴れ」、「曇り」、「雨」、「台風」、「強風」などを示す情報である。
【００４４】
ＣＰＵ３８０は、サーバメモリ３４０に記憶された各種プログラムとして、図６に示すように、データベース更新手段３８１と、情報取得手段としても機能する実施状況認識手段３８２と、優先度設定手段としてのポイント算出手段３８３と、過去実施判断手段としても機能する過去交通情報取得手段としてのＶＩＣＳ過去情報取得手段３８４と、サーバ計時手段３８５と、などを備えている。
【００４５】
データベース更新手段３８１は、ＶＩＣＳ過去情報データベース３５０、イベントデータベース３６０、天気データベース３７０を、それぞれ適宜更新する。具体的には、データベース更新手段３８１は、インターフェース３１０を介して、例えば所定時間毎にＶＩＣＳ情報を取得して、サーバメモリ３４０に一時的に記憶させる。そして、サーバ計時手段３８５からのサーバ現在日時情報に基づいて、日付が変わったことを認識すると、サーバメモリ３４０に記憶させたＶＩＣＳ情報に基づいて、ＶＩＣＳ過去情報３５１を生成してＶＩＣＳ過去情報データベース３５０に記憶させる処理、すなわちＶＩＣＳ過去情報データベース３５０の更新処理を実施する。なお、例えば所定時間毎にＶＩＣＳ情報をサーバメモリ３４０に記憶させずに、日付が変わったことを認識した際に、前日のＶＩＣＳ情報をインターフェース３１０を介してＶＩＣＳから取得して、ＶＩＣＳ過去情報データベース３５０の更新処理を実施する構成としてもよい。
【００４６】
また、データベース更新手段３８１は、例えばインターフェース３１０を介して、所定時間毎に現在以降イベントに関する各種情報を取得する。そして、この取得した情報に基づいて、エリアＩＤ情報３６１Ａと、実施イベント種別情報３６１Ｂと、実施イベント名称情報３６１Ｃと、実施日時情報３６１Ｅと、を生成する。さらに、現在以降イベントである旨を示す過去未来識別情報３６１Ｄを生成し、これらを組み込んだイベントデータ３６１をイベントデータベース３６０に記憶させる。また、データベース更新手段３８１は、例えば日付が変わったことを認識すると、実施日時情報３６１Ｅに基づいて、前日に実施された現在以降イベントを認識する。そして、この認識した現在以降イベントに対応するイベントデータ３６１の過去未来識別情報３６１Ｄを、過去イベントである旨を示す状態に変更する。
【００４７】
また、データベース更新手段３８１は、例えばインターフェース３１０を介して、所定時間毎に気象情報を取得する。そして、この気象情報に基づいて、エリアＩＤ情報３７１Ａと、日時情報３７１Ｃと、天気内容情報３７１Ｄと、を生成する。さらに、現在または未来の天気である旨を示す現在過去未来識別情報３７１Ｂを生成し、これらを組み込んだ天気データ３７１を天気データベース３７０に記憶させる。また、データベース更新手段３８１は、所定時間が経過したことを認識すると、日時情報３７１Ｃに基づいて、現在の天気を表す天気データ３７１を過去のものを表す状態に、あるいは、未来の天気を表す天気データ３７１を現在のものを表す状態に、天気データ３７１の現在過去未来識別情報３７１Ｂを適宜変更する。
【００４８】
なお、ＶＩＣＳ過去情報データベース３５０、イベントデータベース３６０、天気データベース３７０の更新処理を、入力部３２０の入力操作により実施する構成としてもよい。
【００４９】
実施状況認識手段３８２は、所定の領域で実施される現在以降イベントの実施状況を認識する。具体的には、実施状況認識手段３８２は、端末装置４００から後述する過去ＶＩＣＳ要求情報を取得する。そして、この過去ＶＩＣＳ要求情報に後述する所定地点情報および所定日時情報が組み込まれている場合、以下のような処理を実施する。すなわち、所定地点情報で表される地点を包含する所定範囲の領域（以下、地点包含領域と称す）を認識し、この地点包含領域のメッシュコードを認識する。また、所定日時情報で表される日時を認識する。そして、これら認識したメッシュコードが記載されたエリアＩＤ情報３６１Ａと、日時が記載された実施日時情報３６１Ｅと、を有し、かつ、過去未来識別情報３６１Ｄが現在以降イベントを示すイベントデータ３６１を、イベントデータベース３６０から検索する。さらに、所定日時情報の日時が記載された日時情報３７１Ｃを有する天気データ３７１を、天気データベース３７０から検索する。
【００５０】
また、実施状況認識手段３８２は、過去ＶＩＣＳ要求情報に所定地点情報および後述するイベント名称情報が組み込まれている場合、以下のような処理を実施する。すなわち、地点包含領域のエリアＩＤ情報３６１Ａと、イベント名称情報で表されるイベントの名称が記載された実施イベント名称情報３６１Ｃと、を有するイベントデータ３６１を検索する。さらに、このイベントデータ３６１の実施日時情報３６１Ｅの日時に対応する天気データ３７１を検索する。
【００５１】
そして、実施状況認識手段３８２は、これら検索したイベントデータ３６１や天気データ３７１に記載されたイベントの名称や日時あるいは天気を、現在以降イベントの実施状況として認識する。
【００５２】
ポイント算出手段３８３は、端末装置４００に送信するＶＩＣＳ過去情報３５１を選出する際の基準となる優先度としての対応度合いポイントを算出する処理をする。具体的には、ポイント算出手段３８３は、地点包含領域のメッシュコードが記載され、かつ、過去未来識別情報３６１Ｄが過去イベントを示すイベントデータ３６１を、イベントデータベース３６０から検索する。そして、イベントデータ３６１を検索できたことを認識すると、現在以降イベントと実施状況が対応する過去イベントが存在すると判断する。また、このイベントデータ３６１の実施日時情報３６１Ｅに基づいて、過去イベントが実施された日時のＶＩＣＳ過去情報３５１および天気データ３７１を、ＶＩＣＳ過去情報データベース３５０および天気データ３７１からそれぞれ検索する。そして、これら検索したイベントデータ３６１および天気データ３７１すなわち過去イベントの実施状況と、実施状況認識手段３８２で認識された現在以降イベントの実施状況と、以下の表１に示すような条件と、に基づいて、対応度合いポイントを算出する。
【００５３】
【表１】
0004701055.tif 000002
【００５４】
すなわち、ポイント算出手段３８３は、実施イベント名称情報３６１Ｃに基づいて、現在以降イベントおよび過去イベントの名称が一致することを認識すると、この過去イベントに対応するＶＩＣＳ過去情報３５１の対応度合いポイントに１０ポイントを加算する。また、実施日時情報３６１Ｅに基づいて、現在イベントおよび過去イベントの実施日時の間隔、季節、曜日の対応状態に対応する各ポイントを、対応度合いポイントに適宜加算する。さらに、天気内容情報３７１Ｄに基づいて、現在以降イベントおよび過去イベントの実施時の天気が一致する場合、対応度合いポイントに３ポイントを加算する。また、過去イベント実施時の天気が特殊気象であった旨、例えば台風、強風であった場合、対応度合いポイントから２ポイントを減算する。さらに、ＶＩＣＳ過去情報３５１の事故渋滞状況情報３５１Ｄ４に事故渋滞が発生していた旨が記載されている場合、対応度合いポイントから２ポイントを減算する。そして、ポイント算出手段３８３は、検索した全てのＶＩＣＳ過去情報３５１について対応度合いポイントを算出する。
【００５５】
ＶＩＣＳ過去情報取得手段３８４は、対応度合いポイントに基づいて、端末装置４００に送信するＶＩＣＳ過去情報３５１を抽出して取得する。具体的には、ＶＩＣＳ過去情報取得手段３８４は、ポイント算出手段３８３でポイントの算出処理が終了すると、対応度合いポイントが多い５つのＶＩＣＳ過去情報３５１を抽出して取得する。すなわち、現在以降イベントと実施状況の対応度合いが大きい過去イベントのＶＩＣＳ過去情報３５１を取得する。そして、これら取得したＶＩＣＳ過去情報３５１は、これらＶＩＣＳ過去情報３５１に対応するイベントデータ３６１とともに、サーバメモリ３４０に記憶されて、インターフェース３１０により端末装置４００に適宜送信される。
【００５６】
また、ＶＩＣＳ過去情報取得手段３８４は、端末装置４００から後述する特定日時送信要求情報を取得する。そして、この特定日時送信要求情報で特定される過去の日時に関するＶＩＣＳ過去情報３５１を検索して取得する。このＶＩＣＳ過去情報３５１は、サーバメモリ３４０に記憶されて、インターフェース３１０により端末装置４００に適宜送信される。
【００５７】
サーバ計時手段３８５は、例えば内部クロックなどの基準パルスに基づいて現在日時を認識する。そして、この現在日時に関するサーバ現在日時情報を適宜出力する。
【００５８】
また、ＣＰＵ３８０は、入力部３２０の入力操作により入力部３２０から入力される信号に基づいて、入力操作に対応する内容で適宜演算し、信号などを適宜生成する。そして、生成した信号を表示部３３０やインターフェース３１０、サーバメモリ３４０に適宜出力して動作させ、入力された内容を実施させる。
【００５９】
端末装置４００は、例えば移動体としての車両に搭載される車載型、携帯型、ＰＤＡ（Personal Digital Assistant）、携帯電話、ＰＨＳ(Personal Handyphone System)、携帯型パーソナルコンピュータなどである。端末装置４００は、サーバ装置３００からネットワーク２００を介して送信されるＶＩＣＳ過去情報３５１に基づいて、目的地までの案内や、所定の領域における過去の交通状況の報知を実施する。また、現在位置や目的地に関する情報、最寄りの所定の施設の検索やその表示あるいは施設のサービス内容に関する情報の表示などを実施する。そして、端末装置４００は、図７に示すように、送受信器４１０と、センサ部４２０と、交通情報受信部４３０と、端末入力部４４０と、報知手段としての端末表示部４５０と、報知手段としての音声出力部４６０と、端末記憶手段４７０と、端末メモリ４８０と、演算手段としての処理部４９０と、などを備えている。
【００６０】
送受信器４１０は、ネットワーク２００を介してサーバ装置３００に接続されるとともに、処理部４９０に接続されている。この送受信器４１０は、ネットワーク２００を介してサーバ装置３００から端末信号Ｓtを受信可能で、この端末信号Ｓtの取得によりあらかじめ設定されている入力インターフェース処理を実施し、処理端末信号として処理部４９０に出力する。また、送受信器４１０は、処理部４９０から処理端末信号が入力可能で、この入力される処理端末信号の取得によりあらかじめ設定されている出力インターフェース処理を実施し、端末信号Ｓtとしてネットワーク２００を介してサーバ装置３００に送信する。
【００６１】
センサ部４２０は、移動体である例えば車両の移動の状態、すなわち現在位置や走行状況などを検出して処理部４９０に所定の信号として出力する。このセンサ部４２０は、例えば図示しない、ＧＰＳ（Global Positioning System）受信部と、速度センサと、方位角センサと、加速度センサと、などを備えている。ＧＰＳ受信部は、図示しない人工衛星であるＧＰＳ衛星から出力される航法電波を図示しないＧＰＳアンテナにて受信する。そして、受信した航法電波に対応した信号に基づいて現在位置の擬似座標値を演算し、ＧＰＳデータとして処理部４９０に出力する。速度センサは、車両の走行速度に対応して変動する信号に基づいて、車両の走行速度を検出し、速度データとして処理部４９０へ出力する。方位角センサは、図示しないいわゆるジャイロセンサを有し、車両の方位角すなわち車両が前進する走行方向を検出し、方位角データとして処理部４９０へ出力する。加速度センサは、車両の走行方向における加速度を検出し、加速度データとして処理部４９０へ出力する。
【００６２】
交通情報受信部４３０は、ＶＩＣＳ情報を受信する。この交通情報受信部４３０としては、ＶＩＣＳ受信装置などが利用できる。このＶＩＣＳ受信装置を用いたこの交通情報受信部４３０は、図示しないＶＩＣＳアンテナを有し、このＶＩＣＳアンテナによりＶＩＣＳ情報を取得する。そして、取得したＶＩＣＳ情報を処理部４９０に出力する。
【００６３】
端末入力部４４０は、例えばキーボードやマウスなどで、入力操作される図示しない各種操作ボタンや操作つまみなどを有している。この操作ボタンや操作つまみの入力操作の内容としては、例えば端末装置４００の動作内容の設定などの設定事項である。具体的には、取得する情報の内容や取得する条件などの設定、目的地の設定、探索する経路に関する設定事項情報の設定、情報の検索、車両の移動状況である走行状態の表示などが例示できる。そして、端末入力部４４０は、設定事項の入力操作により、所定の信号を処理部４９０へ適宜出力して設定させる。なお、この端末入力部４４０としては、操作ボタンや操作つまみなどの入力操作に限らず、例えば端末表示部４５０に設けられたタッチパネルによる入力操作や、音声による入力操作など、各種設定事項を設定入力可能ないずれの構成が適用できる。
【００６４】
端末表示部４５０は、処理部４９０にて制御され処理部４９０からの画像データの信号を画面表示させる。画像データとしては、例えば地図情報などの画像データの他、図示しないＴＶ受信機で受信したＴＶ画像データ、外部装置など光ディスクや磁気ディスク、メモリカードなどの記録媒体に記録されドライブやドライバなどにて読み取った画像データ、端末メモリ４８０からの画像データなどである。この端末表示部４５０としては、サーバ装置３００の表示部３３０と同様の構成、すなわち例えば液晶パネルや有機ＥＬパネル、ＰＤＰ、ＣＲＴ、ＦＥＤ、電気泳動ディスプレイパネルなどが例示できる。
【００６５】
音声出力部４６０は、例えば図示しないスピーカなどの発音手段を有する。この音声出力部４６０は、処理部４９０にて制御され、処理部４９０からの音声データなどの各種信号を発音手段から音声により出力する。音声により出力する情報としては例えば車両の走行方向や走行状況、交通状況などで、車両の走行を案内する上で運転者などの搭乗者に報知する。なお、発音手段は、例えばＴＶ受信機で受信したＴＶ音声データや記録媒体さらには端末メモリ４８０などに記録された音声データなどをも適宜出力可能である。また、音声出力部４６０は、発音手段を設けた構成に限らず、車両に配設されている発音手段を利用する構成としてもよい。
【００６６】
端末記憶手段４７０は、例えば図８および図９に示すような地図情報などを格納、すなわち読み出し可能に記憶する。この端末記憶手段４７０としては、ＨＤ、ＤＶＤ、光ディスク、メモリカードなどの記録媒体に読み出し可能に記憶するドライブやドライバなどが例示できる。
【００６７】
ここで、地図情報は、例えば図８に示すようないわゆるＰＯＩ（Point Of Interest）データである表示用データＶＭと、例えば図９に示すようなマッチングデータＭＭと、移動経路探索用地図データと、などを備えている。
【００６８】
表示用データＶＭは、例えばそれぞれメッシュコードが付加された複数の表示用メッシュ情報ＶＭxを備えている。すなわち、表示用データＶＭは、一部の領域に関する表示用メッシュ情報ＶＭxに複数分割され、表示用メッシュ情報ＶＭxが縦横に複数連続して構成されている。なお、表示用メッシュ情報ＶＭxは、適宜一部の領域に関する下層の表示用メッシュ情報ＶＭxにさらに複数分割されていてもよい。そして、表示用メッシュ情報ＶＭxは、例えば交差点の名称などの名称情報ＶＭxＡと、道路情報ＶＭxＢと、背景情報ＶＭxＣと、にて構成されている。
【００６９】
一方、マッチングデータＭＭは、表示用データＶＭと同様に、例えばそれぞれ固有の番号が付加された一部の領域に関するマッチングメッシュ情報ＭＭxに複数分割され、マッチングメッシュ情報ＭＭxが縦横に複数連続して構成されている。なお、マッチングメッシュ情報ＭＭxは、適宜一部の領域に関する下層のマッチングメッシュ情報ＭＭxにさらに複数分割されていてもよい。また、マッチングメッシュ情報ＭＭxは、表示用メッシュ情報ＶＭxと異なる領域を表すデータ構造、すなわち分割される領域の縮尺が異なっていてもよい。
【００７０】
そして、マッチングデータＭＭは、例えば車両の移動状態を地図情報に重畳させて表示させる際に、車両を表す表示が道路上ではなく建物上に位置するなどの誤表示を防止するため、車両を表す表示が道路上に位置するように表示を修正するマップマッチング処理に利用される。このマッチングデータＭＭは、複数のリンク列ブロック情報を有している。
【００７１】
リンク列ブロック情報は、図９に示すように、道路を構成し地点を表す地点情報としてのノードＮを結ぶ線分である線分情報としてのリンクＬが、所定の規則性で複数関連付けられたデータのテーブル構造である。そして、リンクＬは、各リンクＬ毎に付加されたリンクＩＤと、リンクＬが結ぶ２つのノードＮを表す固有の番号などのノード情報とを有している。また、リンクＬは、ＶＩＣＳリンクに関連付けられ、ＶＩＣＳ情報と地図表示との位置関係が対応するようになっている。
【００７２】
また、ノードＮは、各道路の交差点や屈曲点、分岐点、合流点などの結節点に相当する。そして、ノードＮに関する情報は、リンク列ブロック情報におけるノードＮ毎に付加された固有の番号である地点固有情報と、各ノードＮが存在する位置の座標情報と、交差点や分岐点などの複数のリンクが交差する分岐位置か否かの分岐情報であるフラグ情報と、を有している。
【００７３】
さらに、マッチングデータＭＭのリンク列ブロック情報には、道路の構成に関する情報、例えば車線数、本線か否か、国道や県道、有料道路などの種別やトンネル内などの構成などが関連付けられている。これら道路の構成に関する情報により、表示用データＶＭに対応して道路を地図表示可能となっている。
【００７４】
また、移動経路探索用地図情報は、例えばマッチングデータＭＭと同様のテーブル構造、すなわち道路を表すノードＮのように地点を表す地点情報とリンクＬのように地点を結ぶ線分情報とを有したテーブル構造で、各移動経路を探索するために道路を表すための情報構造となっている。
【００７５】
端末メモリ４８０は、ネットワーク２００を介して取得した各種情報や、端末入力部４４０で入力操作される設定事項、あるいは音楽データや画像データなどを適宜記憶する。また、端末メモリ４８０には、端末装置４００全体を動作制御するＯＳ上に展開される各種プログラムなどを記憶している。なお、端末メモリ４８０としては、ＨＤや光ディスクなどの記録媒体に読み出し可能に記憶するドライブやドライバなどを備えた構成としてもよい。
【００７６】
処理部４９０は、図示しない各種入出力ポート、例えば送受信器４１０が接続される通信ポート、センサ部４２０のＧＰＳ受信部が接続されるＧＰＳ受信ポート、センサ部４２０の各種センサがそれぞれ接続されるセンサポート、交通情報受信部４３０が接続されるＶＩＣＳポート、端末入力部４４０が接続されるキー入力ポート、端末表示部４５０が接続される表示制御ポート、音声出力部４６０が接続される音声出力ポート、端末記憶手段４７０が接続される記憶ポート、端末メモリ４８０が接続されるメモリポートなどを有する。そして、処理部４９０は、各種プログラムとして、図１０に示すように、現在位置情報取得手段としての現在位置認識手段４９１と、目的地情報取得手段としての目的地認識手段４９２と、送信用情報生成手段としての要求情報生成手段４９３と、案内報知手段４９４と、表示制御手段４９５と、端末情報取得手段および報知制御手段としても機能する平均渋滞情報生成手段４９６と、マップマッチング手段４９７と、地図情報取得手段としても機能する経路設定手段としての経路処理手段４９８と、端末情報検索手段４９９と、端末計時手段５００と、などを備えている。
【００７７】
現在位置認識手段４９１は、車両の現在位置を認識する。具体的には、現在位置認識手段４９１は、センサ部４２０の速度センサおよび方位角センサから出力される速度データおよび方位角データに基づいて、車両の現在の疑似位置を複数算出する。さらに、ＧＰＳ受信部から出力される現在位置に関するＧＰＳデータに基づいて、車両の現在の疑似座標値を認識する。そして、算出した現在の疑似位置と、認識した現在の疑似座標値と、を比較し、別途取得された地図上における車両の現在位置を算出し、現在位置を認識する。また、加速度センサから出力される加速度データに基づいて、走行する道路の傾斜や高低差を判断し、車両の現在の疑似位置を算出し、現在位置を認識する。なお、現在位置認識手段４９１は、現在位置として上述した車両の現在位置の他、端末入力部４４０にて設定入力された基点となる出発地点などを、疑似現在位置として認識可能である。そして、現在位置認識手段４９１で得られた各種情報は、端末メモリ４８０に適宜記憶される。
【００７８】
目的地認識手段４９２は、例えば端末入力部４４０の入力操作により設定入力された目的地に関する目的地情報を取得し、目的地の位置を認識する。この目的地情報としては、例えば緯度・経度などの座標、住所、電話番号など、場所を特定するための各種情報が利用可能である。そして、この目的地情報は、端末メモリ４８０に適宜記憶される。
【００７９】
要求情報生成手段４９３は、所定の領域に関する所定のＶＩＣＳ過去情報３５１の送信を要求するための過去ＶＩＣＳ要求情報を生成する。具体的には、要求情報生成手段４９３は、端末入力部４４０の入力操作により設定入力された所定の地点、例えば１週間後などの移動時における目的地あるいは経由地などに関する所定地点情報を取得する。ここで、所定地点情報を、地点を表す文字列の設定入力に基づいて生成する構成としてもよいし、端末表示部４５０に地図を表示させ所定の地点を選択する旨の設定入力に基づいて生成する構成としてもよい。また、要求情報生成手段４９３は、端末入力部４４０の入力操作により設定入力された所定の日時例えば所定地点情報で表される地点に移動する日時に関するイベント特定情報としての所定日時情報、または、所定のイベントの名称を表すイベント特定情報としてのイベント名称情報を取得する。そして、要求情報生成手段４９３は、所定地点情報と、所定日時情報またはイベント名称情報と、を組み込んだ過去ＶＩＣＳ要求情報を生成する。この過去ＶＩＣＳ要求情報は、端末メモリ４８０に適宜記憶されて、送受信器４１０によりサーバ装置３００に適宜送信される。
【００８０】
案内報知手段４９４は、端末メモリ４８０に記憶され、車両の走行状況に対応してあらかじめ取得した後述する移動経路情報などに基づいて車両の移動に関する案内、例えば車両の走行を支援する内容の案内を、端末表示部４５０による画像表示や音声出力部４６０による発音にて報知する。具体的には、所定の矢印や記号などを端末表示部４５０の表示画面に表示したり、「７００ｍ先、○○交差点を△△方面右方向です。」、「移動経路から逸脱しました。」、「この先、渋滞です。」などの音声出力部４６０における音声により発音したり、することなどが例示できる。
【００８１】
表示制御手段４９５は、端末表示部４５０を適宜制御して各種情報を端末表示部４５０で表示させる。この表示制御手段４９５は、例えば端末入力部４４０による入力操作を促して各種情報を設定入力するための各種表示画面などをも表示制御する。
【００８２】
平均渋滞情報生成手段４９６は、過去ＶＩＣＳ要求情報の要求に基づきサーバ装置３００から送信されるＶＩＣＳ過去情報３５１の渋滞状態を適宜平均化して、この平均化した内容に関する平均渋滞情報を生成する。具体的には、平均渋滞情報生成手段４９６は、サーバ装置３００から送信されたＶＩＣＳ過去情報３５１およびイベントデータ３６１を取得する。さらに、過去ＶＩＣＳ要求情報の所定地点情報で表される地点を包含する地点包含領域を認識し、この地点包含領域の地図情報を、端末記憶手段４７０から取得する。そして、表示制御手段４９５を制御して、例えば図１１に示すような過去交通情報表示画面８００を端末表示部４５０に表示させる。
【００８３】
ここで、過去交通情報表示画面８００は、取得情報リスト領域８１０と、過去交通状況表示領域８２０と、表示情報日時領域８３０と、付帯情報領域８４０と、などを備えている。
【００８４】
取得情報リスト領域８１０は、過去交通情報表示画面８００における右側に縦長の長方形状に設けられている。この取得情報リスト領域８１０は、上下方向に並んだ状態で設けられた、主題領域８１１と、告知領域８１２と、情報選択領域８１３と、過去特定日時指定領域８１４と、平均情報生成選択領域８１５と、を備えている。
【００８５】
主題領域８１１には、取得情報リスト領域８１０の主題が表示される。告知領域８１２には、イベントデータ３６１に基づいて、過去ＶＩＣＳ要求情報で特定される地点および日時に実施される現在以降イベントに関する告知が表示される。情報選択領域８１３には、５個の過去イベント時選択領域８１３Ａが上下方向に並んだ状態で設けられている。この過去イベント時選択領域８１３Ａには、取得したＶＩＣＳ過去情報３５１に基づいて、現在以降イベントと実施状況が対応する過去イベントが実施された日時や曜日などが表示される。そして、過去イベント時選択領域８１３Ａは、現在以降イベントに対応する過去イベントが実施された日時などの交通状況の表示を要求する際に選択される。また、過去イベント時選択領域８１３Ａのそれぞれの左側には、チェックボックスが表示されたチェックボックス領域８１３Ｂが設けられている。このチェックボックス領域８１３Ｂは、平均渋滞情報を生成する際に利用する複数の過去イベント時選択領域８１３Ａの日時を指定する際に選択される。過去特定日時指定領域８１４は、過去特定日時に関する交通状況の表示を要求する際に選択される。平均情報生成選択領域８１５は、平均渋滞情報の生成を要求する際に選択される。
【００８６】
過去交通状況表示領域８２０は、取得情報リスト領域８１０の右側に横長の長方形状に設けられている。この過去交通状況表示領域８２０には、過去ＶＩＣＳ要求情報に基づき取得した地図情報に基づいて、地点包含領域の地図が表示される。さらに、チェックボックス領域８１３Ｂや過去特定日時指定領域８１４で選択された日時などのＶＩＣＳ過去情報３５１、あるいは平均渋滞情報に基づいて、地点包含領域における過去の交通状況が表示される。
【００８７】
表示情報日時領域８３０は、過去交通状況表示領域８２０における右下側に横長の長方形状に設けられている。この表示情報日時領域８３０には、過去交通状況表示領域８２０で表示された交通状況の日時が、例えば文字列および時計の図形により表示される。
【００８８】
付帯情報領域８４０は、取得情報リスト領域８１０の下側に設けられている。この付帯情報領域８４０には、過去交通状況表示領域８２０で表示された地図の付帯情報、すなわち緯度経度、縮尺、地名などが表示される。
【００８９】
そして、平均渋滞情報生成手段４９６は、所定の過去イベント時選択領域８１３Ａを選択する旨の設定入力を認識すると、この選択された過去イベント時選択領域８１３Ａに対応するＶＩＣＳ過去情報３５１を取得する。さらに、この取得したＶＩＣＳ過去情報３５１に基づいて、交通状況を過去交通状況表示領域８２０に表示させる。
【００９０】
また、平均渋滞情報生成手段４９６は、複数のチェックボックス領域８１３Ｂを選択する旨および平均情報生成選択領域８１５を選択する旨の設定入力を認識すると、選択されたそれぞれのチェックボックス領域８１３Ｂに対応するＶＩＣＳ過去情報３５１を取得する。さらに、これら取得したＶＩＣＳ過去情報３５１で示される渋滞状態を平均化する処理をする。具体的には、渋滞度情報３５１Ｄ１で示される渋滞の度合いを平均化する。例えば３つの渋滞度情報３５１Ｄ１の渋滞度が「渋滞なし」、「渋滞」、「混雑」の場合、平均化した渋滞の度合いが「混雑」であると設定する処理をする。また、渋滞長情報３５１Ｄ２で示される渋滞長を平均化する。例えば渋滞長が０ｍ、５０ｍ、１００ｍの場合、平均化した渋滞長が５０ｍであると設定する処理をする。さらに、リンク旅行時間情報３５１Ｄ３で示される通過に要する時間の長さを平均化する処理をする。例えば通過に要する時間が２分、３０分、７分の場合、平均化した時間が１３分であると設定する処理をする。そして、これら設定した内容に関する平均渋滞情報を生成して、過去交通状況表示領域８２０に適宜表示させる。この平均渋滞情報は、端末メモリ４８０に適宜記憶される。なお、平均渋滞情報としては、渋滞の度合い、渋滞長、リンクＬの通過に要する時間をそれぞれ平均化した内容のうち、少なくともいずれか１つのみを有する構成としてもよい。また、音声出力部４６０を本発明の報知手段として機能させ、平均渋滞情報の内容を音声にて出力させる構成としてもよい。
【００９１】
さらに、平均渋滞情報生成手段４９６は、過去特定日時指定領域８１４を選択する旨の設定入力を認識すると、過去特定日時を指定する旨を要求する画面を表示させる。また、過去特定日時を指定する旨の設定入力を認識すると、この過去特定日時に関する特定日時送信要求情報をサーバ装置３００へ送信する処理をする。そして、特定日時送信要求情報に対応するＶＩＣＳ過去情報３５１を取得すると、このＶＩＣＳ過去情報３５１に基づいて、過去特定日時の交通状況を過去交通状況表示領域８２０に表示させる。
【００９２】
マップマッチング手段４９７は、端末記憶手段４７０から取得する地図情報に基づいて、現在位置認識手段４９１にて認識した現在位置を適切に表示させるためのマップマッチング処理をする。このマップマッチング手段４９７は、上述したように、例えばマッチングデータＭＭを用い、現在位置を端末表示部４５０で地図に重畳して表示される位置が、端末表示部４５０で表示される地図を構成する要素である道路から逸脱しないように、現在位置情報を適宜修正すなわち補正して表示させるマップマッチング処理を実施する。
【００９３】
経路処理手段４９８は、利用者により設定入力される経路設定のための設定事項情報、交通情報受信部４３０にて取得したＶＩＣＳ情報、端末記憶手段４７０に記憶された地図情報、平均渋滞情報生成手段４９６で取得されたＶＩＣＳ過去情報３５１、平均渋滞情報生成手段４９６で生成された平均渋滞情報などに基づいて、現在位置から目的地までの車両の移動経路を演算してルート探索する。
【００９４】
具体的には、経路処理手段４９８は、所定の日時に関するＶＩＣＳ過去情報３５１を利用して移動経路を探索する旨の設定入力を認識した場合、現在位置情報、目的地情報、ＶＩＣＳ情報、ＶＩＣＳ過去情報３５１、および、設定事項情報を取得する。さらに、経路処理手段４９８は、各種情報を取得すると、これら各種情報に基づいて、地図情報の移動経路探索用地図情報を利用し、例えば車両が通行可能な道路を探索する。そして、所要時間が短い移動経路、あるいは移動距離が短い移動経路、現在あるいは１つの過去イベント実施時における交通渋滞場所や交通規制場所を回避した移動経路などを設定した移動経路情報を生成する。この移動経路情報は、例えば車両の走行の際に誘導して走行を補助する経路案内情報をも有する。この経路案内情報は、案内報知手段４９４による制御により、端末表示部４５０で適宜表示あるいは音声出力部４６０で適宜音声出力され、走行が補助される。この移動経路情報は、端末メモリ４８０に適宜記憶される。
【００９５】
また、経路処理手段４９８は、平均渋滞情報を利用して移動経路を探索する旨の設定入力を認識した場合、現在位置情報、目的地情報、ＶＩＣＳ情報、平均渋滞情報、および、設定事項情報を取得する。そして、所定のＶＩＣＳ過去情報３５１を利用した場合と同様にして、平均渋滞情報に基づく交通渋滞場所、すなわち複数の過去イベント実施時における渋滞が発生しやすい場所を回避した移動経路などを設定した移動経路情報を生成する。さらに、経路処理手段４９８は、ＶＩＣＳ過去情報３５１および平均渋滞情報を利用せずに移動経路を探索する旨の設定入力を認識した場合、現在位置情報、目的地情報、ＶＩＣＳ情報、および、設定事項情報を取得する。そして、所要時間が短い移動経路、あるいは移動距離が短い移動経路、現在の交通渋滞場所や交通規制場所を回避した移動経路に関する移動経路情報を生成する。
【００９６】
端末情報検索手段４９９は、例えば端末入力部４４０にて設定入力された検索情報の検索要求により、端末記憶手段４７０に記憶された例えば地図情報における所定の地点の情報である検索情報に基づいて検索して、検索要求に応じた情報を取得する。そして、取得した検索結果の情報は、端末メモリ４８０に適宜記憶される。
【００９７】
端末計時手段５００は、例えば内部クロックなどの基準パルスに基づいて現在日時を認識する。そして、この現在日時に関する現在日時情報を適宜出力する。
【００９８】
〔ナビゲーションシステムの動作〕
次に、ナビゲーションシステム１００の動作として、過去イベント実施時の交通状況の表示処理および移動経路の探索処理について図１２に基づいて説明する。図１２は、過去イベント実施時の交通状況の表示処理および移動経路の探索処理を示すフローチャートである。
【００９９】
まず、利用者は、端末入力部４４０の入力操作により、過去ＶＩＣＳ要求情報を生成するための各種事項を設定入力する。具体的には、地点および日時に関する事項、または地点およびイベント名称に関する事項を設定入力する。そして、端末装置４００は、処理部４９０の要求情報生成手段４９３にて、図１２に示すように、設定入力された事項に基づいて、過去ＶＩＣＳ要求情報を生成する（ステップＳ１０１）。この後、要求情報生成手段４９３は、送受信器４１０にネットワーク２００を介して、この過去ＶＩＣＳ要求情報および端末装置４００を特定する端末固有情報などをサーバ装置３００へ送信させる（ステップＳ１０２）。
【０１００】
サーバ装置３００は、インターフェース３１０で過去ＶＩＣＳ要求情報および端末固有情報などを受信すると（ステップＳ１０３）、ＣＰＵ３８０にて、対応度合いポイントの算出処理を実施する（ステップＳ１０４）。具体的には、ＣＰＵ３８０は、実施状況認識手段３８２にて、過去ＶＩＣＳ要求情報で特定される地点包含領域を認識する。さらに、実施状況認識手段３８２は、この地点包含領域で実施される現在以降イベントに対応するイベントデータ３６１および天気データ３７１を取得して、現在以降イベントの実施状況を認識する。この後、ＣＰＵ３８０は、ポイント算出手段３８３にて、地点包含領域で実施された過去イベントのＶＩＣＳ過去情報３５１を検索し、表１に示すような条件などに基づいて、これら検索した各ＶＩＣＳ過去情報３５１の対応度合いポイントを算出する。
【０１０１】
そして、ＣＰＵ３８０は、ＶＩＣＳ過去情報取得手段３８４にて、対応度合いポイントが多い５つのＶＩＣＳ過去情報３５１を抽出する（ステップＳ１０５）。この後、ＶＩＣＳ過去情報取得手段３８４は、インターフェース３１０にネットワーク２００を介して、これらＶＩＣＳ過去情報３５１をイベントデータ３６１とともに、端末固有情報で特定される端末装置４００へ送信させる（ステップＳ１０６）。
【０１０２】
端末装置４００は、送受信器４１０でＶＩＣＳ過去情報３５１およびイベントデータ３６１を受信すると（ステップＳ１０７）、平均渋滞情報生成手段４９６にて、ＶＩＣＳ過去情報３５１に基づいて、過去交通情報表示画面８００を端末表示部４５０に表示させる（ステップＳ１０８）。この後、平均渋滞情報生成手段４９６は、利用者によりＶＩＣＳ過去情報３５１が選択されたか否かを判断する（ステップＳ１０９）。このステップＳ１０９において、選択されていないと判断した場合、例えば所定時間経過後にステップＳ１０９の処理を再び実施する。一方、ステップＳ１０９において、選択されたと判断した場合、複数のチェックボックス領域８１３Ｂの選択により、複数のＶＩＣＳ過去情報３５１が選択されたか否かを判断する（ステップＳ１１０）。
【０１０３】
このステップＳ１１０において、平均渋滞情報生成手段４９６は、複数のＶＩＣＳ過去情報３５１が選択されたと判断した場合、これら選択されたＶＩＣＳ過去情報３５１に基づいて、平均渋滞情報を生成する（ステップＳ１１１）。そして、このステップＳ１１１の処理の後、あるいは、ステップＳ１１０において１つのＶＩＣＳ過去情報３５１が選択されたと判断した場合、過去の交通状況の表示が要求されているか否かを判断する（ステップＳ１１２）。
【０１０４】
このステップＳ１１２において、過去の交通状況の表示が要求されていると判断した場合、過去交通状況表示領域８２０に過去の交通状況を表示させて（ステップＳ１１３）、処理を終了する。ここで、ステップＳ１１３において、ステップＳ１１１の処理を実施している場合、平均渋滞情報に基づいて、複数のＶＩＣＳ過去情報３５１で表される渋滞の度合いを平均化した交通状況を表示させる。また、ステップＳ１１１の処理を実施していない場合、選択された１つのＶＩＣＳ過去情報３５１に基づいて、交通状況を表示させる。
【０１０５】
一方、ステップＳ１１２において、過去の交通状況の表示が要求されていないと判断した場合、移動経路の探索が要求されているか否かを判断する（ステップＳ１１４）。このステップＳ１１４において、移動経路の探索が要求されていないと判断した場合、ステップＳ１１２の処理を実施する。一方、ステップＳ１１４において、移動経路の探索が要求されていると判断した場合、移動経路の探索処理を実施する（ステップＳ１１５）。具体的には、交通情報受信部４３０、現在位置認識手段４９１、目的地認識手段４９２にて、ＶＩＣＳ情報、現在位置情報、目的地情報を取得する。そして、ステップＳ１１１の処理を実施している場合、これら各種情報と、平均渋滞情報と、などに基づいて、過去の交通渋滞場所を回避した移動経路を探索して設定する。また、ステップＳ１１１の処理を実施していない場合、選択されたＶＩＣＳ過去情報３５１などに基づいて、移動経路を設定する。この後、ＣＰＵ３８０は、案内報知手段４９４にて、車両の移動に関する案内を報知することにより、車両の移動を案内誘導して（ステップＳ１１６）、処理を終了する。
【０１０６】
〔ナビゲーションシステムの作用効果〕
上述したように、上記実施の形態では、ナビゲーションシステム１００の端末装置４００は、要求情報生成手段４９３にて、利用者による例えば所定の地点および所定の日時を特定する入力操作に基づいて、所定地点情報および所定日時情報を有する過去ＶＩＣＳ要求情報を生成してサーバ装置３００へ送信する。そして、サーバ装置３００は、実施状況認識手段３８２にて、端末装置４００から過去ＶＩＣＳ要求情報を取得すると、この過去ＶＩＣＳ要求情報の所定地点情報で特定される地点包含領域を認識する。さらに、この地点包含領域において所定日時情報の日時に実施される現在以降イベントを特定し、この現在以降イベントの実施状況を認識する。この後、ＶＩＣＳ過去情報取得手段３８４にて、現在以降イベントと実施状況が対応する過去イベント実施時のＶＩＣＳ過去情報３５１を取得して、端末装置４００へ送信する。そして、端末装置４００は、サーバ装置３００からのＶＩＣＳ過去情報３５１を取得する。
【０１０７】
このため、ナビゲーションシステム１００は、サーバ装置３００で取得された現在以降イベントと実施状況が対応する過去イベント実施時のＶＩＣＳ過去情報３５１を端末装置４００へ送信することにより、利用者に現在以降イベント実施時の交通状況により近い交通状況を参照させることができる。また、利用者に例えば移動する日時を特定する設定入力させるだけでよく、従来のように利用者が自ら参照するＶＩＣＳ過去情報３５１の日時を設定する必要がない。したがって、利用者に過去の交通状況に関する適切なＶＩＣＳ過去情報３５１を容易に利用させることができる。また、統計処理されていないＶＩＣＳ過去情報３５１を取得するので、サーバ装置３００で統計処理や統計処理したＶＩＣＳ過去情報３５１の更新処理を実施する必要がなく処理負荷を低減できる。
【０１０８】
そして、実施状況認識手段３８２は、所定日時情報を有する過去ＶＩＣＳ要求情報を取得して、地点包含領域において所定日時情報の日時に実施される現在以降イベントを特定する。このため、利用者に例えば車両で移動する日時を設定させるので、移動する日時に実施される現在以降イベントの名称がわからない場合であっても、適切なＶＩＣＳ過去情報３５１を利用させることができる。
【０１０９】
また、実施状況認識手段３８２は、イベント名称情報を有する過去ＶＩＣＳ要求情報を取得して、地点包含領域においてイベント名称情報の名称を有する現在以降イベントを特定する。このため、利用者に現在以降イベントの名称を設定させるので、現在以降イベントの実施日時がわからない場合であっても、適切なＶＩＣＳ過去情報３５１を利用させることができる。
【０１１０】
さらに、サーバ装置３００は、ポイント算出手段３８３にて、現在以降イベントの実施状況と、過去イベントの実施状況と、の対応している度合いに基づいて、ＶＩＣＳ過去情報３５１に対して対応度合いポイントを設定する。そして、ＶＩＣＳ過去情報取得手段３８４は、対応度合いポイントに基づいて、ＶＩＣＳ過去情報３５１を取得する。このため、対応度合いポイントに基づいて、現在以降イベントの実施状況により近い状況で過去イベントが実施された際のＶＩＣＳ過去情報３５１を取得でき、さらに適切なＶＩＣＳ過去情報３５１を利用させることができる。
【０１１１】
また、ポイント算出手段３８３は、現在以降イベントと同じ曜日または季節に実施された過去イベントの対応度合いポイントを、異なる曜日または季節に実施されたものと比べて高く設定する。このため、交通状況との関連性がある曜日、季節が現在以降イベントと同じ過去イベントのＶＩＣＳ過去情報３５１を優先的に取得でき、さらに適切なＶＩＣＳ過去情報３５１を利用させることができる。
【０１１２】
さらに、ポイント算出手段３８３は、現在以降イベントと同じ天気で実施された過去イベントの対応度合いポイントを、異なる天気で実施されたものと比べて高く設定する。このため、交通状況との関連性がある天気が現在以降イベントと同じ過去イベントのＶＩＣＳ過去情報３５１を優先的に取得でき、さらに適切なＶＩＣＳ過去情報３５１を利用させることができる。
【０１１３】
そして、ポイント算出手段３８３は、ＶＩＣＳ過去情報３５１の事故渋滞状況情報３５１Ｄ４に事故渋滞が発生していた旨が記載されていることを認識すると、このＶＩＣＳ過去情報３５１の対応度合いポイントから２ポイントを減算する。このため、現在以降イベントの実施時に発生する可能性が低い事故により交通状況が変化したときのＶＩＣＳ過去情報３５１の優先度を低く設定でき、さらに適切なＶＩＣＳ過去情報３５１を利用させることができる。
【０１１４】
また、ポイント算出手段３８３は、現在以降イベントとの実施日時の間隔が１ヶ月以内あるいは１年以内の過去イベントの対応度合いポイントを、１ヶ月以上あるいは１年以上の過去イベントのものと比べて、５ポイントあるいは３ポイント高く設定する。このため、例えば新たな道路の開通などにより道路の接続状態が変化した場合、道路の接続状態が変化する前に実施された過去イベントのＶＩＣＳ過去情報３５１を適宜低く設定でき、さらに適切なＶＩＣＳ過去情報３５１を利用させることができる。
【０１１５】
そして、ＶＩＣＳ過去情報取得手段３８４は、５つのＶＩＣＳ過去情報３５１を取得する。このため、利用者により多くのＶＩＣＳ過去情報３５１を参照させることができるとともに、利用者の判断基準に最も適合するＶＩＣＳ過去情報３５１を選択させることができる。したがって、１つのＶＩＣＳ過去情報３５１を取得する構成と比べて利便性を向上できる。
【０１１６】
さらに、端末装置４００は、平均渋滞情報生成手段４９６にて、利用者により選択された複数のＶＩＣＳ過去情報３５１を認識する。そして、これら複数のＶＩＣＳ過去情報３５１で示される渋滞状態を平均化して、この平均化した内容に関する平均渋滞情報を生成する。このため、複数の過去イベント実施時における平均的な渋滞状態を反映させた交通状況や移動に関する情報を生成でき、より多様な交通状況や移動に関する情報を提供できる。
【０１１７】
また、平均渋滞情報生成手段４９６は、平均渋滞情報やＶＩＣＳ過去情報３５１を端末表示部４５０で表示させる。このため、端末装置４００は、複数の過去イベント実施時における平均的な渋滞状態を反映させた交通状況や、所定の過去イベント実施時における交通状況を報知できる。したがって、端末装置４００の利便性を向上できる。
【０１１８】
そして、端末装置４００は、経路処理手段４９８にて、平均渋滞情報を利用して、複数の過去イベント実施時における渋滞が発生しやすい場所を回避した現在位置から目的地までの移動経路を設定する。さらに、経路処理手段４９８にて、ＶＩＣＳ過去情報３５１を利用して、１つの過去イベント実施時に渋滞が発生した場所を回避した移動経路を設定する。このため、端末装置４００は、複数の過去イベント実施時の平均的な渋滞状態、あるいは１つの過去イベント実施時の渋滞状態を考慮に入れた移動経路を、現在以降イベント実施時の移動経路として設定できる。したがって、端末装置４００の利便性をさらに向上できる。
【０１１９】
〔実施の形態の変形〕
なお、本発明は、上述した一実施の形態に限定されるものではなく、本発明の目的を達成できる範囲で以下に示される変形をも含むものである。ここで、以下において、立寄り地の設定に関する変形を適宜例示するが、目的地の設定に関する変形も同様に含むものとする。
【０１２０】
すなわち、要求情報生成手段４９３にて、所定日時情報およびイベント名称情報のうちいずれか一方のみを過去ＶＩＣＳ要求情報に組み込む構成としてもよい。このような構成にすれば、要求情報生成手段４９３および実施状況認識手段３８２の構成を簡略にできる。
【０１２１】
そして、ポイント算出手段３８３を設けずに、ＶＩＣＳ過去情報取得手段３８４にて、現在以降イベントと名称が一致する過去イベントが実施された際のＶＩＣＳ過去情報３５１を取得する構成としてもよい。このような構成にすれば、ＣＰＵ３８０の構成を簡略にできる。また、ＶＩＣＳ過去情報３５１の取得処理を迅速にでき、利用者により迅速に交通状況を参照させることができる。
【０１２２】
また、対応度合いポイントを算出する際に、曜日、季節、天気、事故渋滞の有無、実施日時の間隔のうち少なくとも１つを考慮に入れない構成としてもよい。このような構成にすれば、対応度合いポイントの算出処理を容易にできる。
【０１２３】
さらに、対応度合いポイントを算出する際に、現在以降イベントおよび過去イベントの実施時刻を考慮に入れる構成としてもよい。このような構成にすれば、交通状況との関連性がある時刻が現在以降イベントと同じ過去イベントのＶＩＣＳ過去情報３５１を優先的に取得でき、さらに適切なＶＩＣＳ過去情報３５１を利用させることができる。
【０１２４】
そして、ＶＩＣＳ過去情報取得手段３８４にて、ＶＩＣＳ過去情報３５１を１つのみ取得する構成としてもよい。このような構成にすれば、端末装置４００に送信する情報量を最小限に抑えることができ、サーバ装置３００の処理負荷を低減できる。
【０１２５】
また、端末装置４００に平均渋滞情報生成手段４９６を設けない構成としてもよい。さらに、端末装置４００に、移動経路を設定して報知する機能、すなわち現在位置認識手段４９１、目的地認識手段４９２、案内報知手段４９３、マップマッチング手段４９７、経路処理手段４９８を設けない構成としてもよい。そして、平均渋滞情報生成手段４９６をサーバ装置３００に設け、サーバ装置３００から平均渋滞情報を端末装置４００に送信する構成としてもよい。これらのような構成にすれば、端末装置４００の構成を簡略にできる。
【０１２６】
さらに、平均渋滞情報生成手段４９６に、平均渋滞情報を表示させる機能を設けない構成としてもよい。また、経路処理手段４９８に、平均渋滞情報やＶＩＣＳ過去情報３５１に基づいて移動経路を設定する機能を設けない構成としてもよい。これらのような構成にすれば、平均渋滞情報生成手段４９６や経路処理手段４９８の構成を簡略にできる。
【０１２７】
そして、平均渋滞情報生成手段４９６にて、ＶＩＣＳ過去情報３５１を取得したことを認識した際に、自動的に平均渋滞情報を生成する構成としてもよい。このような構成にすれば、利用者に平均情報生成選択領域８１５を選択する旨の設定入力を実施させることなく平均渋滞情報を生成でき、端末装置４００の利便性をさらに向上できる。
【０１２８】
また、ＶＩＣＳ過去情報３５１を送信する構成について例示したが、これに限らず、実際に走行している車両から、速度や位置などのデータをネットワークを通じてリアルタイムに収集し、このデータに基づいて生成される渋滞情報や天候情報などであるいわゆるプローブ情報を送信する構成としてもよい。また、ＶＩＣＳ過去情報３５１およびプローブ情報を組み合わせて送信する構成としてもよい。
【０１２９】
そして、本発明の情報処理装置をサーバ装置３００に適用した構成に限らず、実施状況認識手段３８２、ポイント算出手段３８３、ＶＩＣＳ過去情報取得手段３８４を独立させた構成としてもよい。さらに、本発明の情報処理装置としては、ポイント算出手段３８３を設けない構成としてもよい。
【０１３０】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【０１３１】
その他、本発明の実施の際の具体的な構造および手順は、本発明の目的を達成できる範囲で他の構造などに適宜変更できる。
【０１３２】
〔実施の形態の効果〕
上述したように、上記実施の形態では、ナビゲーションシステム１００のサーバ装置３００は、端末装置４００から例えば所定地点情報および所定日時情報を有する過去ＶＩＣＳ要求情報を取得すると、この過去ＶＩＣＳ要求情報の所定地点情報で特定される地点包含領域を認識する。そして、この地点包含領域において所定日時情報の日時に実施される現在以降イベントを特定し、この現在以降イベントの実施状況を認識する。この後、現在以降イベントと実施状況が対応する過去イベント実施時のＶＩＣＳ過去情報３５１を取得する。
【０１３３】
このため、サーバ装置３００にて、現在以降イベントの実施状況に対応する実施状況で過去イベントが実施された際のＶＩＣＳ過去情報３５１を取得するので、利用者に、現在以降イベント実施時の交通状況により近い交通状況を参照させることができる。また、利用者に現在以降イベントが実施される日時に関する所定日時情報を入力させるだけでよく、従来のように利用者が自ら参照するＶＩＣＳ過去情報３５１の日時を設定する必要がない。したがって、サーバ装置３００は、利用者に過去の交通状況に関する適切なＶＩＣＳ過去情報３５１を容易に利用させることができる。
【０１３４】
また、ナビゲーションシステム１００の端末装置４００は、利用者による入力操作に基づいて、過去ＶＩＣＳ要求情報を生成してサーバ装置３００へ送信する。そして、サーバ装置３００は、端末装置４００から過去ＶＩＣＳ要求情報を取得すると、この過去ＶＩＣＳ要求情報の所定地点情報で特定される地点包含領域において所定日時情報の日時に実施される現在以降イベントを特定し、この現在以降イベントの実施状況を認識する。この後、サーバ装置３００は、現在以降イベントと実施状況が対応する過去イベント実施時のＶＩＣＳ過去情報３５１を取得して、端末装置４００へ送信する。そして、端末装置４００は、サーバ装置３００からのＶＩＣＳ過去情報３５１を取得する。
【０１３５】
このため、ナビゲーションシステム１００は、サーバ装置３００で取得された現在以降イベントと実施状況が対応する過去イベント実施時のＶＩＣＳ過去情報３５１を端末装置４００へ送信することにより、利用者に現在以降イベント実施時の交通状況により近い交通状況を参照させることができる。また、従来のように利用者が自ら参照するＶＩＣＳ過去情報３５１の日時を設定する必要がない。したがって、ナビゲーションシステム１００は、利用者に過去の交通状況に関する適切なＶＩＣＳ過去情報３５１を容易に利用させることができる。
【図面の簡単な説明】
【０１３６】
【図１】本発明の一実施の形態に係るナビゲーションシステムの概略構成を示すブロック図である。
【図２】前記一実施の形態におけるサーバ装置の概略構成を示すブロック図である。
【図３】前記一実施の形態におけるＶＩＣＳ過去データベースの概略構成を示す模式図である。
【図４】前記一実施の形態におけるイベントデータベースの概略構成を示す模式図である。
【図５】前記一実施の形態における天気データベースの概略構成を示す模式図である。
【図６】前記一実施の形態におけるサーバ装置を構成するＣＰＵの概略構成を示すブロック図である。
【図７】前記一実施の形態における端末装置の概略構成を示すブロック図である。
【図８】前記一実施の形態における地図情報を構成する表示用データのテーブル構造を模式的に示す概念図である。
【図９】前記一実施の形態における地図情報を構成するマッチングデータのテーブル構造を模式的に示す概念図である。
【図１０】前記一実施の形態における端末装置を構成する処理部の概略構成を示すブロック図である。
【図１１】前記一実施の形態における過去交通情報表示画面の概略構成を示す模式図である。
【図１２】前記一実施の形態における過去イベント実施時の交通状況の表示処理および移動経路の探索処理を示すフローチャートである。
【符号の説明】
【０１３７】
１００…情報処理システムとしてのナビゲーションシステム
２００…ネットワーク
３００…情報処理装置としてのサーバ装置
３５１…過去交通情報としてのＶＩＣＳ過去情報
３８０…演算手段としてのＣＰＵ
３８２…情報取得手段としても機能する実施状況認識手段
３８３…優先度設定手段としてのポイント算出手段
３８４…過去実施判断手段としても機能する過去交通情報取得手段としてのＶＩＣＳ過去情報取得手段
４００…端末装置
４５０…報知手段としての端末表示部
４６０…報知手段としての音声出力部
４９０…演算手段としての処理部
４９１…現在位置情報取得手段としての現在位置認識手段
４９２…目的地情報取得手段としての目的地認識手段
４９３…送信用情報生成手段としての要求情報生成手段
４９６…端末情報取得手段および報知制御手段としても機能する平均渋滞情報生成手段
４９８…地図情報取得手段としても機能する経路設定手段としての経路処理手段
【図１】
0004701055.tif 000003
【図２】
0004701055.tif 000004
【図３】
0004701055.tif 000005
【図４】
0004701055.tif 000006
【図５】
0004701055.tif 000007
【図６】
0004701055.tif 000008
【図７】
0004701055.tif 000009
【図８】
0004701055.tif 000010
【図９】
0004701055.tif 000011
【図１０】
0004701055.tif 000012
【図１１】
0004701055.tif 000013
【図１２】
0004701055.tif 000014